(57)【要約】  例は、流体収集デバイスに操作可能に連結されているポータブル真空供給源を使用して、流体収集デバイスから流体を除去するためのシステム、デバイス、および方法に関する。流体収集デバイスは、それぞれの尿道の近くの女性のまたは男性の生体構造を補完するように形状決めされた尿収集デバイスを含み、真空供給源は、導管の１つまたは複数のセクションを介して流体収集デバイスに操作可能に連結されている。
2021522013.tif 000002
【特許請求の範囲】
【請求項１】
流体収集システムであって、
流体を保持するように構成されている流体貯蔵コンテナと；
前記流体貯蔵コンテナと流体連通している流体収集デバイスであって、
チャンバーを少なくとも部分的に画定する流体不浸透性のバリアであって、前記流体不浸透性のバリアは、また、当該バリアを通って延在する開口部を画定しており、前記開口部は、女性の尿道に隣接して位置決めされるか、または、男性の尿道がそれを通して位置決めされた状態にするように構成されている、流体不浸透性のバリア、ならびに、
入口部および出口部を含む導管であって、前記入口部は、前記流体収集デバイスの中に位置決めされており、前記出口部は、前記流体貯蔵コンテナに流体連通しているように構成されている、導管
を含む、流体収集デバイスと；
前記流体貯蔵コンテナまたは前記流体収集デバイスのうちの１つまたは複数と流体連通しているポータブル真空供給源であって、前記流体収集デバイスから流体を引き出すように構成されている、ポータブル真空供給源と
を含むことを特徴とする流体収集システム。
【請求項２】
請求項１に記載の流体収集システムであって、前記流体不浸透性のバリアは、長手方向に延在する開口部をその中に備えた概して円筒状の形状を画定していることを特徴とする流体収集システム。
【請求項３】
請求項２に記載の流体収集システムであって、
前記チャンバーの中に配設されており、前記長手方向に延在する開口部を横切って延在する、流体浸透性の膜と；
前記チャンバーの中に配設されており、前記流体浸透性の膜を支持するように位置決めされている、流体浸透性のサポートと
をさらに含むことを特徴とする流体収集システム。
【請求項４】
請求項３に記載の流体収集システムであって、
前記流体不浸透性のバリア、および、前記流体浸透性の膜または流体浸透性のサポートのうちの１つまたは複数は、それらの間にリザーバーを画定しており、
前記入口部は、前記リザーバーの中に配設されていることを特徴とする流体収集システム。
【請求項５】
請求項１から４のいずれか１項に記載の流体収集システムであって、前記流体不浸透性のバリアは、カップ状の形状を有していることを特徴とする流体収集システム。
【請求項６】
請求項１に記載の流体収集システムであって、
前記流体不浸透性のバリアは、カップ状の形状を有しており、前記チャンバーは、前記流体不浸透性のバリアの中に画定されており、
環状のベースは、前記開口部を画定しており、前記環状のベースは、陰茎の周りに位置決めされるようにサイズ決めさおよび形状決めされており、前記陰茎が前記チャンバーの中に位置決めされるようになっていることを特徴とする流体収集システム。
【請求項７】
請求項６に記載の流体収集システムであって、前記入口部は、前記環状のベースに隣接して位置決めされていることを特徴とする流体収集システム。
【請求項８】
請求項１から７のいずれか１項に記載の流体収集システムであって、前記ポータブル真空供給源は、前記流体不浸透性のバリアの中に配設されていることを特徴とする流体収集システム。
【請求項９】
請求項１から７のいずれか１項に記載の流体収集システムであって、前記ポータブル真空供給源は、前記流体不浸透性のバリアの上に位置付けされていることを特徴とする流体収集システム。
【請求項１０】
請求項１から７のいずれか１項に記載の流体収集システムであって、
前記流体収集デバイスは、前記流体貯蔵コンテナから間隔を置いて配置され、前記流体貯蔵コンテナから上流に位置決めされており、
前記ポータブル真空供給源は、前記流体収集デバイスから下流に位置決めされていることを特徴とする流体収集システム。
【請求項１１】
流体を収集する方法であって、
女性の尿道に隣接してまたは男性の尿道の周りに流体収集デバイスの開口部を位置決めするステップであって、前記開口部は、前記流体収集デバイスの流体不浸透性のバリアによって画定されている、ステップと；
前記女性の尿道または前記男性の尿道から前記流体収集デバイスのチャンバーの中へ流体を受け入れるステップであって、前記流体収集デバイスの前記チャンバーは、前記流体不浸透性のバリアによって少なくとも部分的に画定されている、ステップと；
前記チャンバーの中に配設されており、前記ポータブル真空供給源と流体連通している導管を介して、前記チャンバーから前記流体を吸引するのに効果的なポータブル真空供給源によって吸引を印加するステップと
を含むことを特徴とする方法。
【請求項１２】
請求項１１に記載の方法であって、前記ポータブル真空供給源は、前記流体収集デバイスの中に配設されており、前記ポータブル真空供給源によって吸引を印加するステップは、前記ポータブル真空供給源を駆動させるステップを含むことを特徴とする方法。
【請求項１３】
請求項１１に記載の方法であって、前記ポータブル真空供給源は、前記流体収集デバイスから間隔を置いて配置されており、前記ポータブル真空供給源によって吸引を印加するステップは、前記ポータブル真空供給源を駆動させるステップを含むことを特徴とする方法。
【請求項１４】
請求項１１から１３のいずれか１項に記載の方法であって、
前記流体不浸透性のバリアは、また、開口部を画定しており、前記開口部は、女性の尿道に隣接して位置決めされるか、または、男性の尿道がそれを通して位置決めされた状態にするように構成されており、
前記導管は、入口部および出口部を含み、前記入口部は、前記流体収集デバイスの中に位置決めされており、前記出口部は、流体貯蔵コンテナと流体連通しているように構成されていることを特徴とする方法。
【請求項１５】
請求項１１から１４のいずれか１項に記載の方法であって、女性の尿道に隣接してまたは男性の尿道の周りに流体収集デバイスの開口部を位置決めするステップは、前記女性の尿道の上に前記開口部を位置決めするステップを含むことを特徴とする方法。
【請求項１６】
請求項１１から１４のいずれか１項に記載の方法であって、女性の尿道に隣接してまたは男性の尿道の周りに流体収集デバイスの開口部を位置決めするステップは、前記チャンバーの中に陰茎を位置決めするステップを含むことを特徴とする方法。
【請求項１７】
請求項１１から１６のいずれか１項に記載の方法であって、前記流体収集デバイスは、
前記流体不浸透性のバリアの中に配設されている流体浸透性の膜と；
前記流体浸透性の膜を支持するように位置決めおよび構成されている流体浸透性のサポートと
を含むことを特徴とする方法。
【請求項１８】
請求項１７に記載の方法であって、前記女性の尿道または前記男性の尿道から前記流体収集デバイスのチャンバーの中へ流体を受け入れるステップは、前記流体浸透性の膜および流体浸透性のサポートを介して前記チャンバーの中へ前記流体を吸い上げるステップを含むことを特徴とする方法。
【請求項１９】
流体収集システムであって、
流体を保持するように構成されている流体貯蔵コンテナと；
前記流体貯蔵コンテナと流体連通している流体収集デバイスであって、前記流体収集デバイスは、
チャンバーを少なくとも部分的に画定する流体不浸透性のバリアであって、前記流体不浸透性のバリアは、また、開口部を画定しており、前記開口部は、女性の尿道に隣接して位置決めされるか、または、男性の尿道がそれを通して位置決めされた状態にするように構成されている、流体不浸透性のバリア、ならびに、
入口部および出口部を含む導管であって、前記出口部は、前記流体貯蔵コンテナと流体連通しており、前記入口部は、ユーザーによって着用されているときに前記流体収集デバイスの重量測定法的に低いポイントにあるように選択される前記チャンバーの一部分の中に位置決めされている、導管
を含む、流体収集デバイスと；
前記流体貯蔵コンテナまたは前記流体収集デバイスのうちの１つまたは複数と前記導管を介して流体連通しているポータブル真空供給源であって、前記ポータブル真空供給源は、前記流体収集デバイスから前記導管を介して流体を引き出すように構成されている、ポータブル真空供給源と
を含むことを特徴とする流体収集システム。
【請求項２０】
請求項１９に記載の流体収集システムであって、前記流体不浸透性のバリアは、長手方向に延在する開口部をその中に備えた概して円筒状の形状を画定していることを特徴とする流体収集システム。
【請求項２１】
請求項１９に記載の流体収集システムであって、前記流体不浸透性のバリアは、カップ状の形状を有していることを特徴とする流体収集システム。
【発明の詳細な説明】
【技術分野】
【０００１】
関連出願の相互参照
本出願は、２０１８年５月１日に出願された米国仮出願第６２／６６５，３０２号の優先権を主張し、その開示は、その全体が参照により本明細書に組み込まれている。
【背景技術】
【０００２】
人は、典型的な排尿プロセスが困難であるかまたは不可能であるように、運動制限または運動障害を有する場合がある。たとえば、人は、可動性を損なう外科手術または身体障害を有する場合がある。別の例では、人は、たとえば、パイロット、ドライバー、および、危険エリアでの作業者によって経験されるものなどの、制限された移動条件を有する場合がある。追加的に、人からの流体収集が、モニタリング目的または臨床試験のために必要とされ得る。
【先行技術文献】
【特許文献】
【０００３】
【特許文献１】米国特許出願公開第２０１７／０１８９２２５号明細書
【特許文献２】米国特許出願公開第２０１８／００２８３４９号明細書
【特許文献３】米国特許出願公開第２０１６／０３７４８４８号明細書
【特許文献４】米国特許出願公開第２０１７／０２６６０３１号明細書
【特許文献５】米国特許出願公開第２００２／００８７１３１号明細書
【特許文献６】米国特許第５００２５４１号明細書
【特許文献７】米国特許第６１１７１６３号明細書
【特許文献８】米国特許第６１２３３９８号明細書
【特許文献９】米国特許第８２１１０６３号明細書
【特許文献１０】欧州特許出願公開第１３８２３１８号明細書
【発明の概要】
【発明が解決しようとする課題】
【０００４】
ベッドパンおよび尿道カテーテル（たとえば、Ｆｏｌｅｙカテーテルなど）が、これらの状況のうちのいくつかに対処するために使用され得る。しかし、ベッドパンおよび尿道カテーテルは、それに関連付けられるいくつかの問題を有している。たとえば、ベッドパンは、不快感、こぼれ、および他の衛生上の問題を起こしやすい可能性がある。尿道カテーテルは、不快であり、痛みを伴う可能性があり、尿路感染症を引き起こす可能性がある。
【０００５】
したがって、流体収集デバイスのユーザーおよび製造業者は、尿を収集するための新しい改善されたデバイス、システム、および方法を探し続けている。
【課題を解決するための手段】
【０００６】
本明細書で開示されている実施形態は、流体収集デバイスを使用するデバイス、システム、および方法に関する。ある実施形態では、流体収集システムが開示されている。流体収集システムは、流体を保持するように構成されている流体貯蔵コンテナを含む。流体収集システムは、流体貯蔵コンテナと流体連通している流体収集デバイスを含む。流体収集デバイスは、チャンバーを少なくとも部分的に画定する流体不浸透性のバリアであって、流体不浸透性のバリアは、また、当該バリアを通って延在する開口部を画定しており、開口部は、女性の尿道に隣接して位置決めされるか、または、男性の尿道がそれを通して位置決めされた状態にするように構成されている、流体不浸透性のバリアを含む。流体収集デバイスは、入口部および出口部を含む導管であって、入口部は、流体収集デバイスの中に位置決めされており、出口部は、流体貯蔵コンテナに流体連通しているように構成されている、導管を含む。流体収集システムは、流体貯蔵コンテナまたは流体収集デバイスのうちの１つまたは複数と流体連通しているポータブル真空供給源であって、ポータブル真空供給源は、流体収集デバイスから流体を引き出すように構成されている、ポータブル真空供給源を含む。
【０００７】
ある実施形態では、流体を収集する方法が開示されている。この方法は、女性の尿道に隣接してまたは男性の尿道の周りに流体収集デバイスの開口部を位置決めするステップであって、開口部は、流体収集デバイスの流体不浸透性のバリアによって画定されている、ステップを含む。またこの方法は、女性の尿道または男性の尿道から流体収集デバイスのチャンバーの中へ流体を受け入れるステップであって、流体収集デバイスのチャンバーは、流体不浸透性のバリアによって少なくとも部分的に画定されている、ステップを含む。またこの方法は、チャンバーの中に配設されており、ポータブル吸引デバイスと流体連通している導管を介して、チャンバーから流体を吸引するのに効果的なポータブル真空供給源によって吸引を印加するステップを含む。
【０００８】
ある実施形態では、流体収集システムが開示されている。流体収集システムは、流体を保持するように構成されている流体貯蔵コンテナを含む。流体収集システムは、流体貯蔵コンテナと流体連通している流体収集デバイスを含む。流体収集デバイスは、チャンバーを少なくとも部分的に画定する流体不浸透性のバリアであって、流体不浸透性のバリアは、また、開口部を画定しており、開口部は、女性の尿道に隣接して位置決めされるか、または、男性の尿道がそれを通して位置決めされた状態にするように構成されている、流体不浸透性のバリアを含む。流体収集デバイスは、入口部および出口部を含む導管であって、出口部は、流体貯蔵コンテナと流体連通しており、入口部は、ユーザーによって着用されているときに流体収集デバイスの重量測定法的に低いポイントにあるように選択されるチャンバーの一部分の中に位置決めされている、導管を含む。流体収集システムは、流体貯蔵コンテナまたは流体収集デバイスのうちの１つまたは複数と導管を介して流体連通しているポータブル真空供給源であって、ポータブル真空供給源は、流体収集デバイスから導管を介して流体を引き出すように構成されている、ポータブル真空供給源を含む。
【０００９】
開示されている実施形態のいずれかからの特徴は、限定することなく互いに組み合わせて使用され得る。加えて、本開示の他の特徴および利点は、以下の詳細な説明および添付の図面を考慮することを通して、当業者に明らかになることとなる。
【００１０】
図面は、本開示のいくつかの実施形態を図示しており、同一の参照番号は、異なる図の中のまたは図面に示されている実施形態の中の同一または同様のエレメントまたは特徴を指す。
【図面の簡単な説明】
【００１１】
【図１】実施形態による、流体収集のためのシステムのブロック図である。
【図２】実施形態による、女性用流体収集デバイスの概略断面図である。
【図３】実施形態による、女性用流体収集デバイスの概略断面図である。
【図４】実施形態による、女性用流体収集デバイスの概略断面図である。
【図５】実施形態による、男性用流体収集デバイスの概略断面図である。
【図６】実施形態による、男性用流体収集デバイスの概略断面図である。
【図７】実施形態による、男性用流体収集デバイスの概略断面図である。
【図８】実施形態による、流体を収集する方法のフローダイアグラムである。
【発明を実施するための形態】
【００１２】
本明細書で開示されている実施形態は、デバイス、システム、ならびに、流体収集デバイスおよびシステムを使用する方法に関する。デバイス、システム、ならびに、流体収集デバイスおよびシステムを使用する方法は、流体収集デバイスから尿を除去するためのポータブル真空供給源を含む。ポータブル真空供給源は、たとえば、非病院環境などにおいて、本明細書におけるシステムおよび方法のポータブルな使用法を可能にすることができる。
【００１３】
ある例では、流体収集デバイスは、チャンバーを少なくとも部分的に画定する流体不浸透性のバリアを含む。また、流体不浸透性のバリアは、当該バリアを通って延在する開口部を画定しており、開口部は、女性の尿道に隣接して位置決めされるか、または、男性の尿道がそれを通して位置決めされた状態にするように構成されている。また、流体収集デバイスは、チューブを含み、チューブは、その入口部と出口部との間に延在するチャネルを有している。入口部は、吸引供給源に連結されるように構成されており、出口部は、流体貯蔵（容器またはコンテナ）と流体連通している（たとえば、流体的に連結されている）ように構成されている。出口部は、入口部から下流に位置決めされている。また、チャネルは、少なくとも１つのアパーチャーをその中に画定しており、少なくとも１つのアパーチャーは、チャネルの内部をチャンバーの残りの部分に流体的に連結している。
【００１４】
本明細書で開示されている流体収集デバイスは、人から流体を収集するように構成されている。流体収集デバイスによって収集される流体は、尿を含むことが可能である。流体収集デバイスによって収集される流体は、また、膣分泌液、陰茎分泌液、生殖液、血液、汗、または他の体液のうちの少なくとも１つを含むことが可能である。
【００１５】
本明細書で開示されている流体収集デバイスは、流体収集システムの中で使用されるように構成されている。本明細書で開示されている流体収集システムは、ガス供給源を含む。ガス供給源を含むシステムは、いくつかの例では、真空供給源を含むシステムに関連付けられるいくつかの問題を解決することが可能である。たとえば、真空供給源を含むシステムは、真空供給源に向けて流体を引き出し、流体が真空供給源に到達することができる前に、流体貯蔵コンテナの中に流体のほとんどを堆積させる。しかし、少量の流体（たとえば、流体からの蒸気）が依然として真空供給源に到達する可能性があり、それは、真空供給源を汚染および／または損傷させる（たとえば、錆びさせる）可能性がある。追加的に、流体貯蔵コンテナが実質的に満杯のときには、大量の流体が真空供給源に到達する可能性がある。しかし、ガス供給源（たとえば、圧縮空気）を含むシステムは、ガス供給源から離れるように流体を移動させ、それによって、汚染および／または損傷を防止するが、流体の跳ね返りまたは水しぶきが、ガスに伴う問題となる可能性がある。たとえば、ガス供給源は、導管の中に真空を生成させるために導管に対して垂直の角度または斜めの角度で、導管の接続された端部を通過してガスを流すことによって、真空を生成させるために使用され得る。流体は、導管に引き寄せられ、ガス供給源から離れているガスフローの方向にガスフローの中へ引き入れられる。別の例では、真空供給源を含むシステムは、利用可能な真空供給源を含まない環境で使用されることができない（たとえば、患者の部屋は、真空供給源を含まないか、または、真空供給源が使用されている）。そうであるので、ガス供給源を含むシステムは、利用可能な真空供給源を含まない環境で使用され得る。水などのような液体供給源は、ガス供給源と同じ方式で、真空を生成および実装するために使用され得る。真空供給源またはガス供給源は、本明細書で開示されているデバイスまたはシステムのいずれかによって利用され、そこから流体を除去することが可能である。
【００１６】
図１は、実施形態による、流体収集のためのシステム１０のブロック図である。システム１０は、流体収集デバイス１２、流体貯蔵コンテナ１４、およびポータブル真空供給源１６を含む。流体収集デバイス１２、流体貯蔵コンテナ１４、およびポータブル真空供給源１６は、１つまたは複数の導管１７を介して、互いに流体的に連結され得る（たとえば、互いに流体連通している）。たとえば、流体収集デバイス１２は、流体貯蔵コンテナ１４またはポータブル真空供給源のうちの１つまたは複数と導管１７を介して流体連通していることが可能である。流体収集デバイス１２の中に収集されている流体（たとえば、尿または他の体液）は、流体収集デバイス１２から導管１７を介して除去され得り、導管１７は、流体収集デバイス１２の内部領域の中へ突出している。たとえば、導管１７の第１の開口端部は、流体収集デバイス１２の中へ、その中のリザーバーへ延在することが可能である。導管１７の第２の開口端部は、流体貯蔵コンテナ１４またはポータブル真空供給源１６の中へ延在することが可能である。吸引力は、導管１７の第２の端部に印加される吸引（たとえば、真空）力に応答して、導管１７の第１の開口端部を介して、流体収集デバイス１２の内部領域の中へ導入され得る。吸引力は、直接的または間接的のいずれかでポータブル真空供給源１６によって、導管１７の第２の開口端部に印加され得る。
【００１７】
吸引力は、流体貯蔵コンテナ１４を介して間接的に印加され得る。たとえば、導管１７の第２の開口端部は、流体貯蔵コンテナ１４の中に配設され得り、追加的な導管１７は、流体貯蔵コンテナ１４からポータブル真空供給源１６へ延在することが可能である。したがって、ポータブル真空供給源１６は、流体貯蔵コンテナ１４を介して流体収集デバイス１２に吸引を印加することが可能である。吸引力は、流体貯蔵コンテナ１４を介して直接的に印加され得る。たとえば、導管１７の第２の開口端部は、ポータブル真空供給源１６の中に配設され得る。追加的な導管１７は、ポータブル真空供給源１６から、流体収集デバイス１２の外側のポイントへ、たとえば、流体貯蔵コンテナなどへ延在することが可能である。そのような例では、ポータブル真空供給源１６は、流体収集デバイス１２と流体貯蔵コンテナ１４との間に配設され得る。
【００１８】
流体収集デバイス１２は、女性の尿道に隣接して位置決めされるように、または、男性の尿道がそれを通して位置決めされた状態にする（たとえば、その中に陰茎を受け入れる）ように、形状決めおよびサイズ決めされ得る。たとえば、流体収集デバイス１２は、流体収集デバイスのチャンバー（たとえば、流体収集デバイス１２の内部領域）を少なくとも部分的に画定する流体不浸透性のバリアを含むことが可能である。また、流体不浸透性のバリアは、外部環境から当該バリアを通って延在する開口部を画定している。開口部は、女性の尿道に隣接して位置決めされ得るか、または、男性の尿道がそれを通して位置決めされた状態にすることが可能である。流体収集デバイス１２は、流体不浸透性のバリアの中に配設されている流体浸透性の膜を含むことが可能である。流体収集デバイス１２は、流体浸透性の膜の中に配設されている流体浸透性のサポートを含むことが可能である。導管１７は、第１の端部領域において流体収集デバイス１２の中へ延在し、流体不浸透性のバリア、流体浸透性の膜、または流体浸透性のサポートのうちの１つまたは複数を通って、流体収集デバイス１２の第２の端部領域へ延在することが可能である。本明細書におけるシステムおよび方法とともに使用するための例示的な流体収集デバイスが、より詳細に下記に説明されている。
【００１９】
いくつかの例では、流体貯蔵コンテナ１４は、バッグ（たとえば、ドレナージバッグ）、ボトルまたはカップ（たとえば、収集ジャー）、または、尿などのような体液を貯蔵するための任意の他の囲まれたコンテナを含むことが可能である。いくつかの例では、導管１７は、流体収集デバイスから延在し、流体貯蔵コンテナ１４にその中の第１のポイントにおいて取り付けられ得る。追加的な導管１７は、流体貯蔵コンテナ１４にその上の第２のポイントにおいて取り付けられ得り、ポータブル真空供給源１６に延在して取り付けられ得る。したがって、真空（たとえば、吸引）が、流体貯蔵コンテナ１４を介して流体収集デバイス１２を通して引かれ得る。尿などのような流体は、ポータブル真空供給源１６を使用して流体収集デバイス１２から排水され得る。
【００２０】
いくつかの例では、ポータブル真空供給源１６は、流体収集デバイス１２の中または上に配設され得る。そのような例では、導管１７は、流体収集デバイスから延在し、ポータブル真空供給源１６にその中の第１のポイントにおいて取り付けられ得る。追加的な導管１７は、ポータブル真空供給源１６にその上の第２のポイントにおいて取り付けられ得り、流体収集デバイス１２から外へ延在することが可能であり、流体貯蔵コンテナ１４に取り付けられ得る。したがって、真空（たとえば、吸引）は、流体貯蔵コンテナ１４を介して流体収集デバイス１２を通して引かれ得る。流体（たとえば、尿など）は、ポータブル真空供給源１６を使用して流体収集デバイス１２から排水され得る。ポータブル真空供給源１６は、手動真空ポンプ、および、電気真空ポンプ、ダイヤフラムポンプ、遠心ポンプ、変位ポンプ、磁気駆動式ポンプ、蠕動ポンプ、または、真空を作り出すように構成されている任意のポンプのうちの１つまたは複数を含むことが可能である。ポータブル真空供給源１６は、真空または吸引を提供し、流体収集デバイス１２から流体を除去することが可能である。いくつかの例では、ポータブル真空供給源１６は、電源コード（たとえば、電源ソケットに接続されている）、１つもしくは複数のバッテリー、または、さらには、手動電源（たとえば、手動式真空ポンプ）のうちの１つもしくは複数によって給電され得る。いくつかの例では、ポータブル真空供給源１６は、流体収集デバイス１２の外側に、上に、または中にフィットするようにサイズ決めおよび形状決めされ得る。たとえば、ポータブル真空供給源１６は、１つもしくは複数の小型ポンプまたは１つもしくは複数のマイクロポンプを含むことが可能である。本明細書で開示されているポータブル真空供給源１６は、スイッチ、ボタン、プラグ、リモコン、または、ポータブル真空供給源を駆動させるのに適切な任意の他のデバイスのうちの１つもしくは複数を含むことが可能である。本明細書で開示されているポータブル真空供給源１６は、吸引または真空を提供するポータブル手段を提供することが可能であり、吸引または真空は、病院またはケア施設環境の外側での、本明細書におけるデバイスおよびシステムの使用を可能にし、病院またはケア施設環境では、真空ラインが患者の部屋の中へ配管されているか、または、より大きい（たとえば、患者が容易に運搬できるよりも大きいかまたは重い）真空供給源が位置付けされているということが理解されるべきである。たとえば、ポータブル真空供給源は、ユーザーの輸送の間に、ユーザー（たとえば、患者）または補助者（たとえば、看護師）によって運搬されるのに十分に小さくて軽くなっていることが可能である。
【００２１】
図２は、実施形態による流体収集デバイス１００の概略断面図である。流体収集デバイス１００は、女性用流体収集デバイス１００の例であり、女性用流体収集デバイス１００は、女性から流体を受け入れるように構成されている。流体収集デバイス１００は、流体不浸透性のバリア１０２を含む。流体不浸透性のバリア１０２は、チャンバー１０４（たとえば、内部領域）および開口部１０６を少なくとも部分的に画定している。開口部１０６は、流体不浸透性のバリア１０２の中に形成されており、流体不浸透性のバリア１０２を通って延在しており、それによって、流体が流体収集デバイス１００の外側からチャンバー１０４に進入することを可能にする。開口部１０６は、女性の尿道に隣接して位置決めされるように構成され得る。また、流体収集デバイス１００は、導管１０８を含み、導管１０８は、チャンバー１０４の中に少なくとも部分的に配設されている。導管１０８（たとえば、チューブ）は、第１の端部領域において入口部１１０を含み、入口部１１０から下流に位置決めされている第２の端部領域において出口部１１２を含む。導管１０８は、チャンバー１０４の内部領域を流体貯蔵コンテナ（図示せず）またはポータブル真空供給源（図示せず）と流体的に連結している。
【００２２】
図示されている実施形態では、導管１０８は、チャンバー１０４の中に少なくとも部分的に配設されている。たとえば、導管１０８は、第１の端部領域（たとえば、出口部１１２に近接している）から流体不浸透性のバリア１０２の中へ延在することが可能であり、第２の端部領域（たとえば、第１の端部領域の反対側）へ、リザーバー１２２に近接しているポイントへ延在することが可能であり、入口部１１０がリザーバー１２２に流体連通した状態になるようになっている。たとえば、図示されている実施形態では、入口部１１０は、リザーバー１２２の中に位置決めされている。しかし、他の例では、入口部１１０は、リザーバー１２２を部分的に画定する流体浸透性の膜１１８の端部と同一平面上にまたはその後ろに位置決めされ得る。いくつかの例では（図示せず）、導管１０８は、第２の端部領域に進入することが可能であり、導管１０８の入口部１１０は、第２の端部領域の中に（たとえば、リザーバー１２２の中に）配設され得る。流体収集デバイス１００の中に収集される流体は、チャンバー１０４の内部領域から導管１０８を介して除去され得る。導管１０８は、プラスチックチュービング（たとえば、医療用チュービング）などのような可撓性の材料を含むことが可能である。そのようなプラスチックチュービングは、熱可塑性エラストマー、ポリ塩化ビニル、エチレン酢酸ビニル、ポリテトラフルオロエチレンなどのチュービングを含むことが可能である。いくつかの例では、導管１０８は、シリコンまたはラテックスを含むことが可能である。いくつかの例では、導管１０８は、たとえば、導管が可撓性になることを可能にする直径または壁部厚さの１つまたは複数を有することなどによって、弾性になっている１つまたは複数の部分を含むことが可能である。
【００２３】
流体収集デバイス１００は、女性の尿道に近接して位置決めされ得り、尿は、開口部１０６を介して流体収集デバイス１００の内部領域に進入することが可能である。流体収集デバイス１００は、開口部１０６を介してチャンバー１０４の中へ流体を受け入れるように構成されている。たとえば、開口部１０６は、細長い形状を示すことが可能であり、細長い形状は、尿道開口部の下方の第１の場所（たとえば、肛門もしくは膣口またはその近く）から尿道開口部の上方の第２の場所（たとえば、陰核もしくは陰毛またはその近く）へ延在するように構成されている。開口部１０６は、女性の脚が閉じられているときに女性の脚同士の間のスペースが比較的に小さいので、細長い形状を示すことが可能であり、それによって、開口部１０６（たとえば、長手方向に延在する開口部）の細長い形状に対応する経路に沿った流体のフローのみを可能にする。本明細書で開示されている流体収集デバイスの長手方向軸線または寸法は、たとえば、図２に示されているように円筒状のデバイスに沿って軸線方向になっているものなど、デバイスの最大寸法に対して平行になっている軸線または寸法を指す。流体不浸透性のバリア１０２の中の開口部１０６は、流体収集デバイス１００の長手方向に対して横断方向に測定される幅を示すことが可能であり、流体収集デバイス１００の周囲部の少なくとも約１０％であることが可能であり、たとえば、流体収集デバイス１００の周囲部の約２５％から約５０％、約４０％から約６０％、約５０％から約７５％、約６５％から約８５％、または、約７５％から約１００％などであることが可能である。開口部１０６は、流体収集デバイス１００の周囲部の５０％よりも大きい幅を示すことが可能である。その理由は、導管１０８を通る真空（たとえば、吸引）が、導管１０８の中へ流体を引き入れるからである。いくつかの例では、開口部１０６は、垂直方向に配向され得る（たとえば、デバイス１００の長手方向軸線に対して平行の主軸線を有している）。いくつかの例では（図示せず）、開口部１０６は、水平方向に配向され得る（たとえば、デバイス１００の長手方向軸線に対して垂直の主軸線を有している）。ある例では、流体不浸透性のバリア１０２は、たとえば、人に接着剤によって（たとえば、ヒドロゲル接着剤によって）取り付けられるなど、人に取り付けられるように構成され得る。ある例によれば、適切な接着剤は、米国特許出願公開第２０１７／０１８９２２５号に開示されているものなどのような、ヒドロゲル層であり、その文献の開示は、その全体が参照により本明細書に組み込まれている。
【００２４】
また、流体不浸透性のバリア１０２は、チャンバー１０４の中に流体を一時的に貯蔵することが可能である。たとえば、流体不浸透性のバリア１０２は、流体不浸透性のポリマー（たとえば、シリコーン、ポリプロピレン、ポリエチレン、ポリエチレンテレフタレート、ポリカーボネートなど）、金属フィルム、別の適切な材料、または、それらの組み合わせなどのような、任意の適切な流体不浸透性の材料から形成され得る。そうであるので、流体不浸透性のバリア１０２は、開口部１０６から間隔を置いて配置されているチャンバー１０４の部分を流体が退出することを実質的に防止する。流体不浸透性のバリア１０２は、その中のリザーバー１２２の中に流体を貯蔵することが可能である。リザーバー１２２は、チャンバー１０４の内部領域の任意の部分の中に配設され得る。たとえば、流体リザーバー１２２は、チャンバー１０４の第２の端部領域の中に位置決めされ得る。ある例では、流体不浸透性のバリア１０２は、空気浸透性および流体不浸透性になっていることが可能である。そのような例では、流体不浸透性のバリア１０２は、複数の細孔を画定する疎水性の材料から形成され得る。ある例では、流体不浸透性のバリア１０２の少なくとも外側表面の少なくとも１つまたは複数の部分は、軟質のおよび／または滑らかな材料から形成され得り、それによって、擦傷を低減させる。流体不浸透性のバリア１０２は、着用者の上にデバイス１００を整合させる際にユーザーを支援するための１つまたは複数のマーキングなどのような、マーキングをその上に含むことが可能である。たとえば、流体不浸透性のバリア１０２（たとえば、開口部１０６の反対側）の上のラインは、医療従事者が着用者の尿道の上に開口部１０６を整合させることを可能にすることができる。例では、マーキングは、ストライプまたはハッシュなどのような、アライメントガイドまたは配向インジケーターのうちの１つまたは複数を含むことが可能である。そのようなマーキングは、恥骨などのような１つまたは複数の解剖学的特徴にデバイス１００を整合させるように位置決めされ得る。
【００２５】
流体収集デバイス１００は、チャンバー１０４の中に配設されている流体浸透性の膜１１８を含むことが可能である。流体浸透性の膜１１８は、開口部１０６の少なくとも一部分（たとえば、すべて）をカバーすることが可能である。流体浸透性の膜１１８は、開口部１０６から離れるように任意の流体を吸い上げるように構成され得り、それによって、流体がチャンバー１０４から逃げることを防止する。本明細書で言及されている浸透性の特性は、ウィッキング、毛細管作用、拡散、または、他の同様の特性もしくはプロセスであることが可能であり、本明細書で「浸透性の」および／または「ウィッキング」と称され得る。そのような「ウィッキング（ｗｉｃｋｉｎｇ、毛管作用の）」は、ウィッキング材料の中への吸収を含まない場合がある。また、流体浸透性の膜１１８は、より詳細に下記に議論されているように、一般的にチャンバー１０４の内部に向けて流体を吸い上げることが可能である。流体浸透性の膜１１８は、流体を吸い上げることができる任意の材料を含むことが可能である。たとえば、流体浸透性の膜１１８は、ファブリック、たとえば、ガーゼ（たとえば、シルク、リネン、ポリマーベースの材料、たとえば、ポリエステルもしくはコットンガーゼなど）、別の軟質のファブリック（たとえば、ジャージーニットファブリックなど）、または、別の滑らかなファブリック（たとえば、レーヨンもしくはサテンなど）などを含むことが可能である。ガーゼ、軟質のファブリック、および／または滑らかなファブリックから流体浸透性の膜１１８を形成することは、流体収集デバイス１００によって引き起こされる擦傷を低減させることが可能である。
【００２６】
流体収集デバイス１００は、チャンバー１０４の中に配設されている流体浸透性のサポート１２０を含むことが可能である。流体浸透性のサポート１２０は、流体浸透性の膜１１８を支持するように構成されている。その理由は、流体浸透性の膜１１８が、折り畳み可能な、薄い、または他の方法で容易に変形可能な材料から形成され得るからである。たとえば、流体浸透性のサポート１２０は、流体浸透性の膜１１８が流体浸透性のサポート１２０と流体不浸透性のバリア１０２との間に配設されるように位置決めされ得る。そうであるので、流体浸透性のサポート１２０は、流体浸透性の膜１１８の位置を支持および維持することが可能である。流体浸透性のサポート１２０は、流体を吸い上げることができる任意の材料を含むことが可能である。流体浸透性のサポート１２０は、流体浸透性の膜１１８よりも変形しにくい任意の流体浸透性の材料から形成され得る。たとえば、流体浸透性のサポート１２０は、多孔性のナイロン構造体を含むことが可能である。ある例では、流体浸透性のサポート１２０は、流体収集デバイス１００から省略され得る。
【００２７】
ある例では、流体浸透性の膜１１８および流体浸透性のサポート１２０は、導管１０８によって占有されていないチャンバー１０４の部分を少なくとも実質的に完全に充填することが可能である。別の例では、流体浸透性の膜１１８および流体浸透性のサポート１２０は、導管１０８によって占有されていないチャンバー１０４の部分を実質的に完全に充填していなくてもよい。そのような例では、流体収集デバイス１００は、チャンバー１０４の中に配設されているリザーバー１２２を含むことが可能である。リザーバー１２２は、チャンバー１０４の実質的に占有されていない部分である。リザーバーは、流体不浸透性のバリア１０２と流体浸透性の膜１１８および流体浸透性のサポートのうちの一方または両方との間に画定され得る。チャンバー１０４の中にある流体は、流体浸透性の膜１１８および／または流体浸透性のサポート１２０を通ってリザーバー１２２へ流れることが可能である。リザーバー１２２は、流体の少なくともいくらかをその中に貯蔵することが可能である。
【００２８】
ある例では、リザーバー１２２は、入口部１１０（たとえば、第２の端部領域）に最も近いチャンバー１０４の部分に位置付けされ得る。しかし、リザーバー１２２は、チャンバー１０４の中の異なる場所に位置付けされ得る。たとえば、リザーバー１２２は、出口部１１２に最も近いチャンバー１０４の端部に位置付けされ得る。別の例では、流体収集デバイス１００は、複数のリザーバー、たとえば、入口部１１０（たとえば、第２の端部領域）に最も近いチャンバー１０４の部分に位置付けされている第１のリザーバー、および、出口部１１２（たとえば、第１の端部領域）に最も近いチャンバー１０４の部分に位置付けされている第２のリザーバーなどを含むことが可能である。別の例では、流体浸透性のサポート１２０は、導管１０８の少なくとも一部分から間隔を置いて配置されており、リザーバー１２２は、流体浸透性のサポート１２０と導管１０８との間のスペースであることが可能である。
【００２９】
いくつかの例では、流体収集デバイス１００は、女性の被験者の膣領域を補完するかまたは輪郭をかたどるのに適切な実質的に円筒状の形状、楕円体、角柱状の形状、または任意の他の形状であることが可能である。本明細書で開示されている流体収集デバイスの断面形状は、さまざまな形状またはサイズのいずれかを含むことが可能である。たとえば、断面形状（長手方向軸線に対して横断方向）は、実質的に丸形（たとえば、円形）、楕円形、長方形、三角形、不規則な形（たとえば、特定の形状を有していない）などになっていることが可能である。
【００３０】
流体不浸透性のバリア、流体浸透性の膜、流体浸透性のサポート、チャンバーの他の実施形態、ならびに、それらの形状および構成は、２０１７年６月２日に出願された米国特許出願第１５／６１２，３２５号；２０１６年９月８日に出願された米国特許出願第１５／２６０，１０３号；および、２０１７年６月１日に出願された米国特許出願第１５／６１１，５８７号に開示されており、それらの文献のそれぞれの開示は、その全体が参照により本明細書に組み込まれている。
【００３１】
流体不浸透性のバリア１０２、流体浸透性の膜１１８、および流体浸透性のサポート１２０は、チャンバー１０４の中に少なくとも部分的に配設されている導管１０８を有するように構成され得る。たとえば、流体浸透性の膜１１８および流体浸透性のサポート１２０のうちの少なくとも１つは、導管１０８を収容するスペースを形成するように構成され得る。別の例では、流体不浸透性のバリア１０２は、導管１０８（たとえば、少なくとも１つのチューブ）を受け入れるようにサイズ決めされたアパーチャー１２４を画定することが可能である。少なくとも１つの導管１０８は、アパーチャー１２４を介してチャンバー１０４の中に配設され得る。アパーチャー１２４は、導管１０８または少なくとも１つのチューブに対して少なくとも実質的に流体密封のシールを形成するように構成され得り、それによって、流体がチャンバー１０４から逃げることを実質的に防止する。流体収集デバイス１００の中に収集された流体は、導管１０８を介してチャンバー１０４の内部領域から除去され得る。図２に示されているように、導管１０８の端部は、流体浸透性の膜１１８および／または流体浸透性のサポート１２０を越えて、たとえば、リザーバー１２２の中などへ延在することが可能である。いくつかの例では、入口部１１０は、リザーバー１２２の中へ延在していなくてもよい。そのような例では、入口部１１０は、ウィッキング（wicking）材料（毛管材料、流体浸透性の膜１１８および／または流体浸透性のサポート１２０）またはその終端端部の中に配設され得る。たとえば、導管１０８の端部は、流体浸透性の膜１１８および／または流体浸透性のサポート１２０と同一の延在になっているかまたはその中に凹まされていることが可能である。
【００３２】
先に議論されているように、導管１０８は、流体貯蔵コンテナ（図示せず）のうちの１つまたは複数およびポータブル真空供給源（図示せず）に連結されるように、ならびに、流体貯蔵コンテナ（図示せず）のうちの１つまたは複数とポータブル真空供給源（図示せず）との間に少なくとも部分的に延在するように構成されている。ある例では、導管１０８は、ポータブル真空供給源（図示せず）に直接的に接続されるように構成されている。そのような例では、導管１０８は、少なくとも１フィート（３０．４８ｃｍ）、少なくとも２フィート（６０．９６ｃｍ）、少なくとも３フィート（９１．４４ｃｍ）、または少なくとも６フィート（１８２．８８ｃｍ）だけ、流体不浸透性のバリア１０２から延在することが可能である。別の例では、導管１０８は、流体貯蔵コンテナ（図示せず）およびポータブル真空供給源（図示せず）のうちの少なくとも１つに間接的に接続されるように構成されている。いくつかの例では、導管は、カテーテル固定デバイスによって着用者の皮膚に固定され、カテーテル固定デバイスは、それに限定されないが、米国特許第６，１１７，１６３号；米国特許第６，１２３，３９８号；および米国特許第８，２１１，０６３号に開示されているものを含む、たとえば、Ｃ．Ｒ．Ｂａｒｄ、Ｉｎｃ．から入手可能なＳＴＡＴＬＯＣＫ（登録商標）カテーテル固定デバイスなどであり、それらの文献の開示は、すべて、それらの全体が参照により本明細書に組み込まれている。
【００３３】
入口部１１０および出口部１１２は、ポータブル真空供給源（図示せず）をチャンバー１０４（たとえば、リザーバー１２２）に（たとえば、直接的にまたは間接的に）流体的に連結するように構成されている。ある例では、入口部１１０および／または出口部１１２は、オス型コネクターを形成することが可能である。別の例では、入口部１１０および／または出口部１１２は、メス型コネクターを形成することが可能である。ある例では、入口部１１０および／または出口部１１２は、しっかりとした連結を促進させるように構成されているリブを含むことが可能である。ある例では、入口部１１０および／または出口部１１２は、テーパー付きの形状を形成することが可能である。ある例では、入口部１１０および／または出口部１１２は、剛性材料または可撓性の材料を含むことが可能である。
【００３４】
チャンバー１０４の重量測定法的に低いポイントにまたはその近くに入口部１１０を位置付けすることは、入口部１１０が他のどこかに位置付けされた場合よりも流体の多くを導管が受け入れることを可能にし、滞留（たとえば、流体の滞留は、微生物増殖および悪臭を引き起こす可能性がある）の可能性を低減させる。たとえば、流体浸透性の膜１１８および流体浸透性のサポート１２０の中の流体は、毛細管力に起因して任意の方向に流れることが可能である。しかし、特に、流体浸透性の膜１１８および／または流体浸透性のサポート１２０の少なくとも一部分が流体によって飽和しているときには、流体は、重力の方向に流れる優先傾向を示す可能性がある。したがって、入口部１１０またはリザーバー１２２のうちの１つまたは複数は、ユーザーによって着用されているときに、流体収集デバイスの中の重量測定法的に低いポイントになることが予期される位置において、流体収集デバイスの中に位置付けされ得る。
【００３５】
ポータブル真空供給源（図１）が導管１０８の中に真空／吸引を印加するとき、チャンバー１０４の中の（たとえば、第２の端部領域における、たとえば、リザーバー１２２の中などの）流体が、入口部１１０の中へ引き込まれ、導管１０８を介して流体収集デバイス１００から外へ引き出される。いくつかの例では、導管は、その中の流体の視認性を曖昧にするために、艶消しになっているかまたは不透明（たとえば、黒色）になっていることが可能である。
【００３６】
ある例では、導管１０８は、チャンバー１０４の中へ少なくとも挿入可能であるように構成されている。そのような例では、導管１０８は、チャンバー１０４の中への導管１０８の挿入を促進させるように構成されている１つまたは複数のマーカー（図示せず）をその外部の上に含むことが可能である。たとえば、導管１０８は、たとえば、リザーバー１２２の中にまたはリザーバー１２２に隣接して配設されるように構成されている入口部１１０を導管１０８が画定しているときなどに、導管１０８の過剰挿入または過少挿入を防止するように構成されている１つまたは複数のマーキングをその上に含むことが可能である。別の例では、導管１０８は、チャンバー１０４に対する導管１０８の正しい回転を促進させるように構成されている１つまたは複数のマーキングをその上に含むことが可能である。ある例では、１つまたは複数のマーキングは、ライン、ドット、ステッカー、または、任意の他の適切なマーキングを含むことが可能である。
【００３７】
ある例では、流体収集デバイス１００の１つまたは複数のコンポーネントは、流体収集デバイスが着用者にまたは着用者の体液に接触する可能性がある場所に、制菌性材料などのような抗菌性材料を含むことが可能である。抗菌性材料は、ニトロフラゾンコーティングまたは銀コーティングなどのような、抗菌性コーティングを含むことが可能である。抗菌性材料は、流体の滞留または停滞に起因する微生物増殖などのような、微生物増殖を阻止することが可能である。ある例では、流体収集デバイス１００の１つまたは複数のコンポーネント（たとえば、不浸透性のバリア１０２、導管１０８など）は、シクロデキストリンを含有する材料または熱可塑性エラストマー（ＴＰＥ）ポリマーなどのような、臭気遮断または吸収材料を含むことが可能である。
【００３８】
図３は、実施形態による流体収集デバイス３００の概略断面図である。流体収集デバイス３００は、その中に配設されているポータブル真空供給源３３０を含むことが可能である。本明細書で別段に開示されている場合を除いて、流体収集デバイス３００は、１つまたは複数の態様において、図２の流体収集デバイス１００と同じかまたは実質的に同様になっていることが可能である。たとえば、流体収集デバイス３００は、チャンバー１０４および開口部１０６を画定する流体不浸透性のバリア１０２を含むことが可能である。また、流体収集デバイス３００は、チャンバー１０４の中に配設されている流体浸透性の膜１１８、流体浸透性のサポート１２０、およびリザーバー１２２のうちの少なくとも１つを含むことが可能である。
【００３９】
流体収集デバイス３００は、チャンバー１０４の中に少なくとも部分的に配設されている導管１０８を含む。導管１０８は、入口部１１０および出口部１１２を画定する１つまたは複数の壁部を含むことが可能である。入口部１１０は、チャンバー１０４の中に存在している流体のうちの少なくともいくらかが導管１０８に進入することを可能にする。ある例では、導管１０８は、チャンバー１０４の重量測定法的に低いポイントに、その近くに、または、それから間隔を置いて位置付けされている入口部１１０を有するように構成され得る。ある例では、導管１０８は、リザーバー１２２の中にまたはそれに隣接して配設されている少なくとも１つの入口部１１０を有するように構成され得る。
【００４０】
導管１０８は、流体不浸透性のバリア１０２を介して、チャンバー１０４の内部領域に流体連通していることが可能である。そうであるので、流体不浸透性のバリア１０２は、アパーチャー１２４を画定することが可能である。ある例では、図示されているように、アパーチャー１２４は、導管１０８がチャンバー１０４の中に部分的にのみ配設されているときには、導管１０８がチャンバー１０４から外向きに延在することを可能にする。いくつかの例では、導管１０８は、複数の別個のセクションを含むことが可能である。たとえば、および、示されているように、導管１０８は、第１のセクションＡおよび第２のセクションＢを含むことが可能である。第１のセクションＡは、遠位端部（たとえば、第１の端部領域）からポータブル真空供給源３３０へ延在する入口部１１０を含むことが可能であり、セクションBは、ポータブル真空供給源３３０からアパーチャー１２４の外へ、たとえば、流体貯蔵コンテナ（図示せず）などへ延在することが可能である。
【００４１】
ポータブル真空供給源３３０は、本明細書で開示されているポータブル真空ポンプのいずれかなどのような、ポンプを含むことが可能である。たとえば、ポータブル真空供給源３３０は、手動真空ポンプ、ダイヤフラムポンプ、遠心ポンプ、変位ポンプ、磁気駆動式ポンプ、蠕動ポンプ、または、吸引、真空を作り出すかまたはその他の方法で流体を移動させるように構成されている任意のポンプを含むことが可能である。ポータブル真空供給源３３０は、流体不浸透性のバリア１０２の内側のチャンバー１０４の中にフィットするようにサイズ決めされ得る。いくつかの例では、ポータブル真空供給源３３０は、流体密封のハウジングまたはコンテナの中にシールされ得る。ポータブル真空供給源３３０は、チャンバー１０４から流体を吸引するのに効果的な導管１０８のＡセクションの中に真空（たとえば、吸引）を印加することが可能である。流体は、Ａセクションを通ってＢセクションへ（たとえば、ポータブル真空供給源３３０を通って）進み、ポータブル真空供給源３３０によって印加される真空または吸引によって誘発されるフローによって、Ｂセクションを介して流体収集デバイス３００から外へ進むことが可能である。たとえば、ポータブル真空供給源３３０は、遠心ポンプを含むことが可能であり、その中のインペラーは、チャンバー１０４から入口部１１０を介して流体を引き出し、導管１０８のＢセクションを介してチャンバー１０４から外へ流体を押しだすことが可能である。導管１０８のＡセクションおよびＢセクションのそれぞれが、ポータブル真空供給源３３０に流体的に連結され得る（たとえば、シールされる）。
【００４２】
いくつかの例では、ポータブル真空供給源３３０および導管１０８は、一体的に一緒に形成され得る（たとえば、単一ピース構築体を示す）。
【００４３】
図４は、実施形態による流体収集デバイス４００の概略断面図である。流体収集デバイス４００は、その上に配設されているポータブル真空供給源３３０を含むことが可能である。本明細書で別段に開示されている場合を除いて、流体収集デバイス４００は、１つまたは複数の態様において、図２の流体収集デバイス１００と同じかまたは実質的に同様になっていることが可能である。たとえば、流体収集デバイス４００は、チャンバー１０４および開口部１０６を画定する流体不浸透性のバリア１０２を含むことが可能である。また、流体収集デバイス４００は、チャンバー１０４の中に配設されている流体浸透性の膜１１８、流体浸透性のサポート１２０、およびリザーバー１２２のうちの少なくとも１つを含むことが可能である。ポータブル真空供給源３３０は、流体不浸透性のバリア１０２において流体収集デバイス４００に取り付けられ得る。
【００４４】
流体収集デバイス４００は、チャンバー１０４の中に少なくとも部分的に配設されている導管１０８を含む。導管１０８は、入口部１１０および出口部１１２を画定する１つまたは複数の壁部を含むことが可能である。入口部１１０は、チャンバー１０４の中に存在している流体のうちの少なくともいくらかが導管１０８に進入することを可能にする。ある例では、導管１０８は、チャンバー１０４の重量測定法的に低いポイントに、その近くに、または、それから間隔を置いて位置付けされている入口部１１０を有するように構成され得る。ある例では、導管１０８は、リザーバー１２２の中にまたはそれに隣接して配設されている少なくとも１つの入口部１１０を有するように構成され得る。
【００４５】
導管１０８は、流体不浸透性のバリア１０２を介して、チャンバー１０４の内部領域に流体連通していることが可能である。そうであるので、流体不浸透性のバリア１０２は、アパーチャー１２４を画定することが可能である。ある例では、図示されているように、アパーチャー１２４は、導管１０８がチャンバー１０４の中に部分的にのみ配設されているときには、導管１０８がチャンバー１０４から外向きに延在することを可能にする。いくつかの例では、導管１０８は、複数の別個のセクションを含むことが可能である。たとえば、および、示されているように、導管１０８は、第１のセクションＡおよび第２のセクションＢを含むことが可能である。第１のセクションＡは、遠位端部（たとえば、第１の端部領域）から、アパーチャー１２４の外へ、それに装着されているポータブル真空供給源３３０へ延在する入口部１１０を含むことが可能である。ポータブル真空供給源３３０は、たとえば、流体不浸透性のバリア１０２の上などに、流体収集デバイス４００の外側表面の上に装着され得る。セクションＢは、ポータブル真空供給源３３０に取り付けられ得り、ポータブル真空供給源３３０から、たとえば、流体貯蔵コンテナ（図示せず）などへ延在することが可能である。
【００４６】
ポータブル真空供給源３３０は、本明細書で開示されているポータブル真空ポンプのいずれか、たとえば、手動真空ポンプ、ダイヤフラムポンプ、遠心ポンプ、変位ポンプ、磁気駆動式ポンプ、蠕動ポンプ、または、真空を作り出すように構成されている任意のポンプなどを含むことが可能である。ポータブル真空供給源３３０は、流体不浸透性のバリア１０２の内側のチャンバー１０４の中にフィットするようにサイズ決めされ得る。いくつかの例では、ポータブル真空供給源３３０は、流体密封のハウジングまたはコンテナの中にシールされ得る。ポータブル真空供給源３３０は、チャンバー１０４から流体を吸引するのに効果的な導管１０８のＡセクションの中に真空（たとえば、吸引）を印加することが可能である。流体は、Ａセクションを通って、流体収集デバイス４００から外へ、ポータブル真空供給源３３０へ進むことが可能である。流体は、ポータブル真空供給源３３０によって印加される真空または吸引によって誘発されるフローによって、ポータブル真空供給源３３０からＢセクションを介して除去され得る。たとえば、ポータブル真空供給源３３０は、遠心ポンプを含むことが可能であり、その中のインペラーは、チャンバー１０４から入口部１１０を介して流体を引き出し、チャンバー１０４から外へポータブル真空供給源３３０を介して導管１０８のＢセクションへ流体を吸引することが可能である。導管１０８のＡセクションおよびＢセクションのそれぞれが、ポータブル真空供給源３３０に流体的に連結され得る（たとえば、シールされる）。いくつかの例では、ポータブル真空供給源３３０および導管１０８（たとえば、ＡセクションまたはＢセクションの一方または両方）は、一体的に一緒に形成され、単一ピース構築体を示すことが可能である。また、本明細書で開示されている女性用流体収集デバイスは、流体不浸透性のバリア１０２の中に１つまたは複数の真空逃がし孔部を含み、チャンバー１０４の中の吸引または真空の量を制御することが可能である。真空逃がし孔部は、流体浸透性の膜の上の任意のポイントに、たとえば、リザーバー１２２と出口部１１２との間の中間ポイントなどに位置決めされ得る。そのような真空逃がし孔部は、チャンバー１０４が実質的に大気圧力のままになることを可能にし、流体収集デバイスが真空力の下で変形することを防止することが可能である。
【００４７】
図２〜図４に示されている流体収集デバイスは、女性から流体を収集する（たとえば、女性の尿道から尿を収集する）ように構成されている女性用流体収集デバイスの例である。しかし、本明細書で開示されている流体収集デバイス、システム、および方法は、男性から流体を収集する（たとえば、男性の尿道から尿を収集する）ように形状決めされ、サイズ決めされ、その他の方法で構成されている男性用流体収集デバイスを含むことが可能である。図５〜図７は、異なる実施形態による、男性用流体収集デバイス５００、６００、および７００の概略断面図である。
【００４８】
図５を参照すると、流体収集デバイス５００は、受容部５５０およびカップ部分５５２を含む。受容部５５０は、男性の尿道を取り囲む皮膚に連結されるように、および、男性の尿道がそれを通して位置決めされた状態にするようにサイズ決めされ、形状決めされ、および、そのような材料から作製されている。たとえば、受容部５５０は、環状のベース５５４を含むことが可能であり、環状のベース５５４は、受容部５５０の中に開口部５５６を画定している。環状のベース５５４は、男性の尿道の周りに位置決めされる（たとえば、陰茎の周りおよび／または上に位置決めされる）ようにサイズ決めおよび形状決めされており、開口部５５６は、男性の尿道がそれを通して位置決めされた状態にするように構成され得る。また、環状のベース５５４は、男性の尿道の周りの（たとえば、陰茎の周りの）皮膚に連結される（たとえば、ヒドロゲル接着剤などによって、接着によって取り付けられる）ようにサイズ決めされ、形状決めされ、そのような材料から作製され、または、その他の方法で構成され得る。ある例では、環状のベース５５４は、環状のベース５５４が連結されるように選択されている皮膚表面の一般的な形状を示すことが可能であり、および／または、可撓性になっていることが可能であり、それによって、環状のベース５５４が皮膚表面の任意の形状に一致することを可能にする。また、受容部５５０は、カップ部分５５２を受け入れる（たとえば、カップ部分５５２に対してシールする）ように構成されている中空の領域を画定している。たとえば、受容部５５０は、環状のベース５５４から上向きに延在するフランジ５６０を含むことが可能である。フランジ５６０は、カップ部分５５２が受容部５５０から偶発的に除去されることを防止するのに十分に高くなっていることが可能である（たとえば、少なくとも０．５ｃｍの高さがあるか、１ｃｍの高さがあるか、少なくとも２ｃｍの高さがあるか、または、少なくとも５ｃｍの高さがある）。いくつかの例では、環状のベース５５４は随意的なものである。たとえば、受容部５５０は、フランジ５５４のみを含むことが可能である。いくつかの例では（図示せず）、流体収集デバイスは、ワンピース設計を有することが可能であり、カップ部分５５２および受容部５５０が単一ピースになった状態になっている。いくつかの例では、受容部５５０は随意的なものである。
【００４９】
カップ部分５５２は、受容部５５０の中空の領域の中へフィットするようにサイズ決めおよび形状決めされている流体不浸透性のバリア５０２を含む（たとえば、流体不浸透性のバリア５０２から形成され得る）。カップ部分５５２は、流体をその中に保つように形状決めされ得る。たとえば、流体不浸透性のバリア５０２は、カップ部分５５２を画定することが可能であり、たとえば、図５に図示されているように囲まれた端部を有する実質的にチューブ状の（たとえば、円筒状の）本体部を形成するなどしている。したがって、カップ部分５５２は、チャンバー５０４をその中に備えた概してカップ状の形状を有することが可能である。流体不浸透性のバリア５０２は、１つまたは複数の態様において、流体不浸透性のバリア１０２と同様または同一になっていることが可能である。流体不浸透性のバリア５０２は、チャンバー５０４を部分的に画定している。また、流体不浸透性のバリア５０２は、流体不浸透性のバリア５０２を通って延在する開口部５５６を画定することが可能であり、それは、男性の尿道がそれを通して位置決めされた状態にするように構成されている。また、流体不浸透性のバリア５０２は、少なくとも１つの通路５６２（たとえば、真空リリーフホール）を含むことが可能であり、少なくとも１つの通路５６２は、チャンバー５０４が実質的に大気圧力のままになることを可能にする。少なくとも１つの通路５６２は、カップ部分５５２の上の任意のポイントに、たとえば、開口部５５６の近くにまたはより近くに位置付けされ得る。また、カップ部分５５２は、導管１０８の少なくとも一部分をその中に含み、それは、たとえば、チャンバー５０４の中に少なくとも部分的に配設されている。たとえば、導管１０８は、カップ部分５５２から、開口部５５６に少なくとも近接している領域へ延在することが可能である。開口部５５６に近接している領域は、男性の尿道の周りの皮膚の近くまたは上に（たとえば、陰茎の上に）配設され得る。したがって、患者が仰向けになっているときに、流体（たとえば、尿）は、被験者の皮膚に対して開口部５５６の近くに凝集することが可能である。流体は、チャンバー５０４から導管１０８を介して除去され得る。いくつかの例では、流体不浸透性のバリア５０２のカップ部分５５２は、カップ部分５５２が真空下に設置されているときにつぶれることを可能にする、たとえば、使用の間に流体収集デバイス５００の中の陰茎の周りの空気を除去する材料から構築され得り、および／または、そのような厚さを有することが可能である。そのような例では、導管１０８は、（たとえば、開口部に隣接するエリアを通してではなく）アパーチャー５２４のみにおいてチャンバー５０４の中へ延在することが可能である。そのような例では、尿は、アパーチャー５２４に最も近い端部において流体収集デバイス５００から収集および除去され得る。そのような例では、少なくとも１つの通路が、開口部５５６の最も近くに位置付けされ得る。
【００５０】
流体収集デバイス５００は、流体浸透性の膜１１８を含むことが可能である。流体浸透性の膜１１８は、カップ部分５５２の流体不浸透性のバリア５０２とチャンバー５０４の中へ挿入された陰茎との間に配設され得る。流体収集デバイス５００は、流体浸透性のサポート１２０を含むことが可能である。流体浸透性のサポート１２０は、カップ部分５５２とチャンバー５０４の中へ挿入された陰茎との間に位置決めされ得り、たとえば、流体浸透性の膜１１８と流体不浸透性のバリア５０２との間などに位置決めされ得る。チャンバー５０４の側壁部または端部は、流体浸透性の膜１１８または流体浸透性のサポート１２０の一方または両方によってカバーされ得る。
【００５１】
いくつかの例では、ポータブル真空供給源３３０は、カップ部分５５２から遠隔に位置付けされ得る。そのような例では、導管１０８はカップ部分５５２から外へ延在し、カップ部分５５２から離れるようにポータブル真空供給源３３０へ延在することが可能である。いくつかの例では、導管１０８は、１つまたは複数のセクションを含むことが可能である。たとえば、および、示されているように、導管１０８は、ＡセクションおよびＢセクションを含むことが可能である。Ａセクションは、ポータブル真空供給源３３０からカップ部分５５２を通って、アパーチャー５２４を介して、開口部５５６に少なくとも近接している領域へ延在することが可能である。導管の入口部１１０は、ポータブル真空供給源３３０に流体連通している。出口部（図示せず）は、矢印によって示されている方向に導管１０８を通して流体貯蔵コンテナ（図示せず）と流体連通していることが可能である。流体不浸透性のバリア５０２は、少なくとも１つのアパーチャー５２４を含むことが可能であり、少なくとも１つのアパーチャー５２４は、たとえばチャンバー５０４の中などに導管１０８を受け入れ、導管１０８に対してシールするようにサイズ決めおよび形状決めされている。したがって、チャンバー５０４の内部領域は、導管１０８を介してポータブル真空供給源３３０と流体連通していることが可能である。ポータブル真空供給源３３０が、図５の中の矢印の方向に真空／吸引を印加するとき、チャンバー５０４の中の流体が、導管１０８を通して除去され得る。いくつかの例では、流体は、ポータブル真空供給源３３０を通して導管１０８のＢセクションの中へポンプ送りされ得る。導管のＢセクションは、流体貯蔵コンテナ（図示せず）と流体連通していることが可能であり、流体が流体貯蔵コンテナ（図示せず）の中へ堆積され得る。
【００５２】
いくつかの例では、流体貯蔵コンテナ（図示せず）は、ポータブル真空供給源３３０と流体収集デバイス５００との間に配設され得る。そのような例では、導管１０８のＡセクションは、流体収集デバイスと流体貯蔵デバイスとの間に延在することが可能であり、導管１０８のＢセクションは、流体貯蔵デバイスとポータブル真空供給源３３０との間に延在することが可能である。導管１０８のＡセクションおよびＢセクションならびに流体貯蔵コンテナは、ポータブル真空供給源３３０を流体収集デバイス５００に流体的に連結することが可能である。そのような例では、流体は、チャンバー５０４から入口部５１０および流体貯蔵コンテナ（図示せず）の中へ、流体貯蔵デバイスを通してポータブル真空供給源３３０によって誘発される真空／吸引を介して吸引され得る。
【００５３】
ある例では、チャンバー５０４の部分は、男性の陰茎の変化するサイズおよび剛性に起因して、実質的に空になっている可能性がある。しかし、いくつかの例では、チャンバー５０４の最も外側の領域（たとえば、カップ部分５５２の内部領域の周辺）は、多孔性の材料（たとえば、流体浸透性の膜１１８および流体浸透性のサポート１２０のうちの１つまたは複数、図２）を含むことが可能であり、多孔性の材料は、（たとえば、キャビティーの端部に）位置決めされており、男性の尿道からの尿の流れを鈍らせ、それによって、跳ね返りを制限するように構成されており、および／または、チャンバー５０４の選択された領域へ流体を方向付けるように構成されている。チャンバー５０４は実質的に空になっているので（たとえば、チャンバー５０４の実質的にすべてがリザーバーを形成している）、流体は、チャンバー５０４の重量測定法的に低いポイントに溜まる傾向がある。チャンバー５０４の重量測定法的に低いポイントは、人の皮膚および流体収集デバイス５００の交差部にあるか、カップ部分５５２の中に形成された角部にあるか、または、着用者の配向に応じて別の適切な場所にあることが可能である。導管１０８の入口部１１０は、チャンバー５０４の重量測定法的に低いポイントに隣接または近接するように、たとえば、環状のベース５５４などに隣接するように位置決めされ得る。たとえば、入口部１１０は、開口部５５６と同一の延在になっているかまたは開口部５５６からオフセットされ得る。例では、入口部は、カップ部分５５２の終端端部に隣接して（たとえば、開口部の実質的に反対側に）位置決めされ得る。
【００５４】
動作の間に、流体収集デバイス５００を使用する男性は、流体（たとえば、尿）をチャンバー５０４の中へ排出することが可能である。流体は、チャンバー５０４の中に溜まるかまたはその他の方法で収集され得る。流体の少なくともいくらかは、入口部１１０を介して導管１０８の内部に進入することが可能である。流体は、ポータブル真空供給源３３０によって提供される真空／吸引を介して、流体収集デバイス５００から外へ引き出され得る。いくつかの例では、動作の間に、通路５６２は、流体がチャンバー５０４の中へ導入されたとしても、および、その後にチャンバー５０４から除去されたとしても、チャンバー５０４の中の圧力を大気圧力に実質的に維持することが可能である。
【００５５】
いくつかの例では、ポータブル真空供給源３３０は、カップ部分５５２の上に位置付けされ得る。図６は、流体収集デバイス６００を図示しており、流体収集デバイス６００は、本明細書で別段に開示されている場合を除いて、１つまたは複数の態様において、図５の流体収集デバイス５００と同じかまたは実質的に同様になっている。たとえば、流体収集デバイス６００のコンポーネントは、上記に説明されている流体収集デバイス５００のコンポーネントと同一になっていることが可能である。図６を参照すると、流体収集デバイス６００は、ポータブル真空供給源３３０、受容部５５０、カップ部分５５２、および導管１０８を含む。示されているように、ポータブル真空供給源３３０は、たとえば、カップ部分５５２または受容部５５０を画定する流体不浸透性のバリア１０２の上などに、流体収集デバイス５００に貼り付けられ得る。そのような例では、導管１０８のＢセクションは、流体収集デバイス５００から離れるように延在することが可能である。
【００５６】
導管１０８は、カップ部分５５２のチャンバー５０４からポータブル真空供給源３３０へ延在することが可能である。いくつかの例では、導管１０８は、１つまたは複数のセクションを含むことが可能である。たとえば、および、示されているように、導管１０８は、ＡセクションおよびＢセクションを含むことが可能である。Ａセクションは、ポータブル真空供給源３３０からカップ部分５５２を通って、アパーチャー５２４を介して、開口部５５６に少なくとも近接している領域へ延在することが可能である。導管の入口部１１０は、ポータブル真空供給源３３０と流体連通している。出口部（図示せず）は、矢印によって示されている方向に導管１０８を通して流体貯蔵コンテナ（図示せず）と流体連通していることが可能である。流体不浸透性のバリア５０２は、少なくとも１つのアパーチャー５２４を含むことが可能であり、少なくとも１つのアパーチャー５２４は、たとえばチャンバー５０４の中などに導管１０８を受け入れ、導管１０８に対してシールするようにサイズ決めおよび形状決めされている。したがって、チャンバー５０４の内部領域は、導管１０８を介してポータブル真空供給源３３０と流体連通していることが可能である。ポータブル真空供給源３３０が、図６の中の矢印の方向に真空／吸引を印加するとき、チャンバー５０４の中の流体が、導管１０８を通して除去され得る。いくつかの例では、流体は、ポータブル真空供給源３３０を通して導管１０８のＢセクションの中へポンプ送りされ得る。導管のＢセクションは、流体貯蔵コンテナ（図示せず）と流体連通していることが可能であり、流体が流体貯蔵コンテナ（図示せず）の中へ堆積され得る。
【００５７】
いくつかの例では、ポータブル真空供給源３３０は、流体貯蔵デバイス（図示せず）と流体収集デバイス６００との間に配設され得る。そのような例では、導管１０８のＡセクションは、流体収集デバイス６００とポータブル真空供給源３３０との間に延在することが可能であり、導管１０８のＢセクションは、ポータブル真空供給源３３０と流体貯蔵コンテナとの間に延在することが可能である。導管１０８のＡセクションは、ポータブル真空供給源３３０を流体収集デバイス６００に流体的に連結することが可能である。そのような例では、流体は、チャンバー５０４から、入口部５１０の中へ、ポータブル真空供給源３３０を通して、ポータブル真空供給源３３０によって誘発される真空／吸引を介して、流体貯蔵コンテナ（図示せず）へ吸引され得る。いくつかの例では、流体貯蔵コンテナは、チャンバー５０４の中に、カップ部分５５２の上に、または、カップ部分５５２から遠隔に位置付けされ得る。いくつかの例では、流体貯蔵コンテナ（図示せず）は、ポータブル真空供給源３３０と流体収集デバイス６００との間に配設され得る。
【００５８】
ある例では、流体収集デバイス６００のチャンバー５０４の部分は、実質的に空になっている可能性があり、または、多孔性の材料を含むことが可能であり、多孔性の材料は、男性の尿道からの尿の流れを鈍らせるように構成されている。流体収集デバイス６００のチャンバー５０４は実質的に空になっているので、流体は、チャンバー５０４の重量測定法的に低いポイントに溜まる傾向がある。導管１０８の入口部１１０は、流体収集デバイス６００のチャンバー５０４の重量測定法的に低いポイントに隣接または近接するように位置決めされ得る。
【００５９】
動作の間に、流体収集デバイス６００を使用する男性は、流体（たとえば、尿）をチャンバー５０４の中へ排出することが可能である。流体は、チャンバー５０４の中に溜まるかまたはその他の方法で収集され得る。流体の少なくともいくらかは、入口部１１０を介して導管１０８の内部に進入することが可能である。流体は、ポータブル真空供給源３３０によって提供される真空／吸引を介して、流体収集デバイス６００から外へ引き出され得る。いくつかの例では、動作の間に、通路５６２は、流体がチャンバー５０４の中へ導入されたとしても、および、その後にチャンバー５０４から除去されたとしても、チャンバー５０４の中の圧力を大気圧力に実質的に維持することが可能である。
【００６０】
いくつかの例では、ポータブル真空供給源３３０は、カップ部分５５２の中に位置付けされ得る。図７は、流体収集デバイス７００を図示しており、流体収集デバイス７００は、本明細書で別段に開示されている場合を除いて、１つまたは複数の態様において、図５の流体収集デバイス５００または図６の流体収集デバイス６００と同じかまたは実質的に同様になっている。たとえば、流体収集デバイス７００のコンポーネントは、上記に説明されている流体収集デバイス５００または６００のコンポーネントと同一になっていることが可能である。図７を参照すると、流体収集デバイス７００は、ポータブル真空供給源３３０、受容部５５０、カップ部分５５２、および導管１０８を含む。示されているように、ポータブル真空供給源３３０は、たとえば、カップ部分５５２または受容部５５０の上などに、流体収集デバイス７００に貼り付けられ得る。そのような例では、導管１０８のＢ部分は、流体収集デバイス７００から外へ、流体収集デバイス７００から離れるように延在することが可能である。
【００６１】
導管１０８は、カップ部分５５２のチャンバー５０４からポータブル真空供給源３３０へ延在することが可能である。いくつかの例では、導管１０８は、１つまたは複数のセクションを含むことが可能である。たとえば、および、示されているように、導管１０８は、ＡセクションおよびＢセクションを含むことが可能である。Ａセクションは、カップ部分５５２の中のポータブル真空供給源３３０から、開口部５５６に少なくとも近接している領域へ延在することが可能である。導管の入口部１１０は、ポータブル真空供給源３３０と流体連通している。出口部（図示せず）は、矢印によって示されている方向に導管１０８を通して流体貯蔵コンテナ（図示せず）と流体連通していることが可能である。流体不浸透性のバリア５０２は、少なくとも１つのアパーチャー５２４を含むことが可能であり、少なくとも１つのアパーチャー５２４は、たとえばチャンバー５０４の中などに導管１０８を受け入れ、導管１０８に対してシールするようにサイズ決めおよび形状決めされている。したがって、チャンバー５０４の内部領域は、導管１０８を介してポータブル真空供給源３３０と流体連通していることが可能である。ポータブル真空供給源３３０が、図７の中の矢印の方向に真空／吸引を印加するとき、チャンバー５０４の中の流体が、導管１０８を通して除去され得る。いくつかの例では、流体は、ポータブル真空供給源３３０を通して導管１０８のＢセクションの中へポンプ送りされ得る。導管のＢセクションは、アパーチャー５２４から外へ、それに流体的に連結されている流体貯蔵コンテナ（図示せず）へ延在することが可能であり、流体が流体貯蔵コンテナ（図示せず）の中へ堆積され得る。
【００６２】
いくつかの例では、ポータブル真空供給源３３０は、流体貯蔵デバイス（図示せず）と流体収集デバイス７００との間に配設され得る。そのような例では、導管１０８のＡセクションは、流体収集デバイス７００のチャンバー５０４とポータブル真空供給源３３０との間に延在することが可能であり、導管１０８のＢセクションは、ポータブル真空供給源３３０と流体貯蔵コンテナとの間に延在することが可能である。導管１０８のＡセクションは、ポータブル真空供給源３３０を流体収集デバイス７００に流体的に連結することが可能である。そのような例では、流体は、チャンバー５０４から、入口部５１０の中へ、ポータブル真空供給源３３０を通して、ポータブル真空供給源３３０によって誘発される真空／吸引を介して、流体貯蔵コンテナ（図示せず）へ吸引され得る。いくつかの例では、流体貯蔵コンテナは、チャンバー５０４の中に、カップ部分５５２の上に、または、カップ部分５５２から遠隔に位置付けされ得る。いくつかの例では、流体貯蔵コンテナ（図示せず）は、ポータブル真空供給源３３０と流体収集デバイス７００との間に配設され得る。
【００６３】
ある例では、流体収集デバイス７００のチャンバー５０４の部分は、男性の陰茎の変化するサイズおよび剛性に起因して、実質的に空になっている可能性がある。しかし、いくつかの例では、チャンバー５０４の最も外側の領域は、多孔性の材料を含むことが可能であり、多孔性の材料は、男性の尿道からの尿の流れを鈍らせるように構成されている。チャンバー５０４は実質的に空になっているので、流体は、チャンバー５０４の重量測定法的に低いポイントに溜まる傾向がある。導管１０８の入口部１１０は、流体収集デバイス７００のチャンバー５０４の重量測定法的に低いポイントに隣接または近接するように位置決めされ得る。
【００６４】
動作の間に、流体収集デバイス７００を使用する男性は、流体（たとえば、尿）をチャンバー５０４の中へ排出することが可能である。流体は、チャンバー５０４の中に溜まるかまたはその他の方法で収集され得る。流体の少なくともいくらかは、入口部１１０を介して導管１０８の内部に進入することが可能である。流体は、ポータブル真空供給源３３０によって提供される真空／吸引を介して、流体収集デバイス７００から外へ引き出され得る。いくつかの例では、動作の間に、通路５６２は、流体がチャンバー５０４の中へ導入されたとしても、および、その後にチャンバー５０４から除去されたとしても、チャンバー５０４の中の圧力を大気圧力に実質的に維持することが可能である。
【００６５】
本明細書で開示されている例のいずれかにおいて、導管１０８は、その中の流体のフローを測定するための流量計（図示せず）、本明細書で開示されているシステムもしくはデバイスの１つもしくは複数のコンポーネント（たとえば、ポータブル真空供給源もしくは流体貯蔵コンテナ）に導管１０８を固定するための１つもしくは複数の固定デバイス（たとえば、ＳＴＡＴＬＯＣＫ（登録商標）固定デバイス（図示せず））もしくはフィッティング、または、本明細書におけるシステムおよびデバイスの中の流体のフローを制御するための１つもしくは複数のバルブを含むことが可能であるか、または、それに操作可能に連結され得る。本明細書で開示されている例のいずれかにおいて、導管１０８、または、デバイスおよびシステムの他の部分は、収集された尿が感染症（たとえば、尿路感染症または腎臓感染症）の発症を示すかどうかを決定するために、１つまたは複数の試験デバイスを挿入するためのポートを含むことが可能である。たとえば、１つまたは複数の試験ストリップまたはスティックが、導管１０８の中のポートを通して挿入され得る。
【００６６】
ある例では、本明細書における流体収集デバイスまたはシステムの導管１０８の部分のうちの少なくとも１つは、その中に存在している流体を曖昧にすることができる少なくとも部分的に不透明の材料から形成され得る。たとえば、本明細書で開示されている導管１０８のＢセクションは、不透明の材料または半透明の材料から形成され得り、一方、Ａセクションは、透明な材料または半透明の材料から形成され得る。いくつかの例では、Ｂセクションは、透明な材料または半透明の材料を含むことが可能である。不透明のまたはほぼ不透明の材料とは異なり、半透明の材料は、本明細書におけるデバイスおよびシステムのユーザーが流体を視覚的に識別するかまたは導管１０８の中の流体のフローを阻止している問題を視覚的に識別することを可能にする。
【００６７】
本明細書で開示されている例、システム、またはデバイスのいずれかにおいて、流体収集デバイスのシステムは、湿度センサー（図示せず）を含むことが可能であり、湿度センサーは、流体収集デバイスのチャンバーの内側に配設されている。そのような例では、湿度センサーは、コントローラーに、または、ポータブル真空供給源に直接的に操作可能に連結され得り、湿度がチャンバーの１つまたは複数の部分の中に検出されるかまたは検出されないかを示す電気信号を提供することが可能である。湿度センサーは、湿度が存在しているという表示を提供することが可能であり、それに応答して、ポータブル真空デバイスのコントローラーは、チャンバーへの吸引の開始を指示し、チャンバーから流体を除去することが可能である。適切な湿度センサーは、静電容量センサー、体積センサー、電位センサー、抵抗センサー、周波数領域反射率測定センサー、時間領域反射率測定センサー、または、任意の他の適切な湿度センサーを含むことが可能である。実際には、湿度センサーは、チャンバーの中の湿度を検出することが可能であり、ポータブル真空供給源のコントローラーに信号を提供し、ポータブル吸引デバイスを駆動させることが可能である。
【００６８】
図８は、ある例による、本明細書で開示されている流体収集デバイスおよび／または流体収集システムのいずれかを使用する方法８００のフローダイアグラムである。方法８００は、行為８１０を含むことが可能であり、行為８１０は、「女性の尿道に隣接してまたは男性の尿道の周りに流体収集デバイスの開口部を位置決めするステップであって、開口部は、流体収集デバイスの流体不浸透性のバリアによって画定されている」と記載している。行為８１０の後に、行為８２０が続くことが可能であり、行為８２０は、「女性の尿道または男性の尿道から流体収集デバイスのチャンバーの中へ流体を受け入れるステップであって、流体収集デバイスのチャンバーは、流体不浸透性のバリアによって少なくとも部分的に画定されている」と記載している。行為８２０の後に、行為８３０が続くことが可能であり、行為８３０は、「チャンバーの中に配設されており、ポータブル真空供給源と流体連通している導管を介して、チャンバーから流体を吸引するのに効果的なポータブル真空供給源によって吸引を印加するステップ」と記載している。
【００６９】
方法８００の行為８１０、８２０、８３０は、例示目的のためのものである。たとえば、方法８００の行為８１０、８２０、８３０は、異なる順序で実施されるか、複数の行為へと分割されるか、修正されるか、補充されるか、または組み合わせられ得る。ある例では、方法８００の行為８１０、８２０、８３０のうちの１つまたは複数は、方法８００から省略され得る。行為８１０、８２０、または８３０のいずれかは、本明細書で開示されている流体収集デバイスまたはシステムのうちのいずれかを使用することを含むことが可能である。
【００７０】
行為８１０は、「女性の尿道に隣接してまたは男性の尿道の周りに流体収集デバイスの開口部を位置決めするステップであって、開口部は、流体収集デバイスの流体不浸透性のバリアによって画定されている」と記載されている。いくつかの例では、行為８１０は、女性用流体収集デバイスの開口部を位置決めするステップを含むことが可能であり、女性用流体収集デバイスの流体浸透性の膜が、女性の尿道に近接して当接するかまたは位置決めされるようになっている。いくつかの例では、行為８１０は、男性の尿道の周りに（たとえば、上に）男性用流体収集デバイスの受容部を位置決めするステップを含むことが可能であり、男性の尿道が受容部の中に位置決めされるようになっている。そのような例では、行為８１０は、受容部の中空の領域の中に男性用流体収集デバイスのカップ部分を位置決めするステップを含むことが可能であり、男性の尿道が、男性用流体収集デバイスのカップ部分の開口部を通して、および、男性用流体収集デバイスの内部キャビティーの中へ位置決めされるようになっている。いくつかの例では、行為８１０は、流体収集デバイスの中に、たとえば、そのチャンバーの中などに、陰茎を位置決めするステップを含むことが可能である。いくつかの例では、女性の尿道に隣接してまたは男性の尿道の周りに流体収集デバイスの開口部を位置決めするステップは、女性の尿道の上に開口部を位置決めするステップ、たとえば、流体収集デバイスの長手方向に延在する開口部を女性の尿道の上に位置決めするステップを含むことが可能である。
【００７１】
行為８２０は、「女性の尿道または男性の尿道から流体収集デバイスのチャンバーの中へ流体を受け入れるステップであって、流体収集デバイスのチャンバーは、流体不浸透性のバリアによって少なくとも部分的に画定されている」と記載されている。たとえば、行為８２０は、流体浸透性の膜および流体浸透性のサポートを使用して、開口部から離れるように流体を吸い上げるステップを含むことが可能である。いくつかの例では、行為８２０は、男性用流体収集デバイスのカップ部分のチャンバーの中へ流体を受け入れるステップを含むことが可能である。いずれかの例において、行為８２０は、真空供給源と流体連通している導管の入口部と流体連通しているチャンバーの一部分に向けて流体を流すステップを含むことが可能である。たとえば、行為８２０は、チャンバーの実質的に占有されていない部分（たとえば、リザーバー）へ、チャンバーの重量測定法的に低いポイントなどへ、流体を流すステップを含むことが可能である。いくつかの例では、女性の尿道または男性の尿道から流体収集デバイスのチャンバーの中へ流体を受け入れるステップは、流体収集デバイスの流体浸透性の膜および流体浸透性のサポートを介して、チャンバーの中へ流体（たとえば、尿）を吸い上げるステップを含むことが可能である。たとえば、流体浸透性の膜および流体浸透性のサポートを介してチャンバーの中へ流体を吸い上げるステップは、流体収集デバイスの中のリザーバーの中へ尿を吸い上げるステップを含むことが可能である。
【００７２】
行為８３０は、「チャンバーの中に配設されており、ポータブル真空供給源と流体連通している導管を介して、チャンバーから流体を吸引するのに効果的なポータブル真空供給源によって吸引を印加するステップ」と記載されている。いくつかの例では、チャンバーの中に配設されており、ポータブル真空供給源と流体連通している導管を介して、チャンバーから流体を吸引するのに効果的なポータブル真空供給源によって吸引を印加するステップは、本明細書で開示されているポータブル真空供給源のいずれかを使用するステップを含むことが可能である。ある例では、行為８３０は、流体収集デバイスの中の導管の入口部と流体連通しているポータブル真空供給源（たとえば、ポータブル吸引デバイス）を駆動させるステップを含むことが可能である。いくつかの例では、流体収集デバイスの中の導管の入口部と流体連通しているポータブル真空供給源を駆動させるステップは、オン／オフスイッチを弾くこと、ボタンを押すこと、ポータブル真空供給源を電源コンセントの中へ差し込むこと、ポータブル真空供給源の中へバッテリーを入れることなどのうちの１つまたは複数によって、ポータブル真空供給源に電力を供給するステップを含むことが可能である。いくつかの例では、ポータブル真空供給源は、手動式真空ポンプを含むことが可能であり、ポータブル真空供給源によって吸引を印加するステップは、チャンバーの中に配設されており、ポータブル真空供給源と流体連通している導管を介して、チャンバーから流体を吸引するのに効果的な手動式真空ポンプを手動で動作させるステップを含むことが可能である。
【００７３】
いくつかの例では、チャンバーの中に配設されており、ポータブル真空供給源と流体連通している導管を介して、チャンバーから流体を吸引するのに効果的なポータブル真空供給源によって吸引を印加するステップは、流体収集デバイスのチャンバー（たとえば、内部領域）から少なくともいくらかの流体（たとえば、尿）を除去するのに効果的であることが可能である。いくつかの例では、チャンバーの中に配設されており、ポータブル真空供給源と流体連通している導管を介して、チャンバーから流体を吸引するのに効果的なポータブル真空供給源によって吸引を印加するステップは、流体収集デバイスのチャンバーから流体貯蔵コンテナ（たとえば、ボトルまたはバッグ）へ流体の少なくともいくらかを移送するのに効果的であることが可能である。いくつかの例では、チャンバーから流体を吸引するのに効果的なポータブル真空供給源によって吸引を印加するステップは、流体収集デバイスのリザーバー、流体浸透性のサポート、または流体浸透性の膜のうちの１つまたは複数から流体を除去するステップを含むことが可能である。
【００７４】
いくつかの例では、ポータブル真空供給源（たとえば、吸引デバイス）は、流体収集デバイスの上または中に配設され得り、ポータブル真空供給源によって吸引を印加するステップは、ポータブル真空供給源を駆動させるステップを含むことが可能である。いくつかの例では、ポータブル真空供給源は、流体収集デバイスから間隔を置いて配置され得り、ポータブル真空供給源によって吸引を印加するステップは、ポータブル真空供給源を駆動させるステップを含むことが可能である。
【００７５】
いくつかの例では、チャンバーの中に配設されており、ポータブル真空供給源と流体連通している導管を介して、チャンバーから流体を吸引するのに効果的なポータブル真空供給源によって吸引を印加するステップは、（たとえば、１つまたは複数の湿度センサーを介して）チャンバーの中の湿度を検出するステップと、それに応答して、チャンバーの中に吸引を提供するためにポータブル真空供給源を駆動させるステップとを含むことが可能である。湿度またはそのレベルがチャンバーの中に存在しているということを示す信号に応答するポータブル真空供給源の制御は、たとえば、コントローラー（たとえば、動作を実施するようにプログラムされたコンピューター）などを介して、自動的であることが可能であり、または、流体収集デバイスのチャンバーからの流体の除去を必要とし得る湿度のレベルが存在しているという表示を単に提供することに留めてもよい。後者のケースでは、ユーザーは、（たとえば、コントローラーから）表示を受け入れ、ポータブル真空ポンプを手動で駆動させることが可能である。
【００７６】
ある例では、方法８００は、流体収集デバイスから、たとえば、流体貯蔵コンテナ（それは、流体収集デバイスから間隔を置いて配置されており、導管に流体連通している）の中などへ除去される、流体を収集するステップを含むことが可能である。流体貯蔵コンテナは、本明細書で開示されている流体貯蔵コンテナのいずれかを含むことが可能である。
【００７７】
さまざまな態様および実施形態が本明細書で開示されてきたが、他の態様および実施形態も企図される。本明細書で開示されているさまざまな態様および実施形態は、図示の目的のためのものであり、限定するものであることを意図していない。
【図１】
2021522013.tif 000003
【図２】
2021522013.tif 000004
【図３】
2021522013.tif 000005
【図４】
2021522013.tif 000006
【図５】
2021522013.tif 000007
【図６】
2021522013.tif 000008
【図７】
2021522013.tif 000009
【図８】
2021522013.tif 000010
【国際調査報告】
2021522013.tif 000011
2021522013.tif 000012
2021522013.tif 000013
2021522013.tif 000014
2021522013.tif 000015